(57)【要約】      （修正有）【課題】聴覚機器（外耳道マイクロフォンと、外部マイクロフォンと、レシーバとを有する）の自己較正方法を提供する。【解決手段】聴覚機器２であって、外部マイクロフォン８により入力信号を取得することと、レシーバ１６により出力信号を提供することと、外耳道マイクロフォン１０を使用して出力信号を測定することと、ゲイン設定に基づいて出力応答を予測することと、予測出力応答と測定出力信号の差を判定することと、差に基づいてゲインパラメータを制御することで、聴覚機器２を較正する。【選択図】図１
2019075777.tif 000002
【特許請求の範囲】
【請求項１】
外耳道マイクロフォンと、外部マイクロフォンと、レシーバとを有する聴覚機器の自己較正方法であって、
前記外部マイクロフォンにより入力信号を取得することと、
前記レシーバにより出力信号を提供することと、
前記外耳道マイクロフォンを使用して前記出力信号を測定することと、
ゲイン設定に基づいて出力応答を予測することと、
前記予測出力応答と前記測定出力信号の差を判定することと、
前記差に基づいてゲインパラメータを制御することで前記聴覚機器を較正することと、を含む方法。
【請求項２】
前記入力信号を取得することは、前記入力信号の１以上の特徴を判定することを含む、請求項１に記載の方法。
【請求項３】
前記入力信号を取得することは、１以上の周波数帯において、前記入力信号の１以上の特徴を判定することを含む、請求項１または２に記載の方法。
【請求項４】
前記出力信号を測定することは、前記出力信号の前進圧力レベルを判定することを含む、請求項１から３のいずれか一項に記載の方法。
【請求項５】
前記ゲインパラメータを制御することは、１以上の周波数帯でバンドゲインを調整することを含む、請求項１から４のいずれか一項に記載の方法。
【請求項６】
前記ゲインパラメータを制御することは、前記予測出力応答と前記測定出力信号の差を低減または最小化することによってゲインを判定することを含む、請求項１から５のいずれか一項に記載の方法。
【請求項７】
前記予測出力応答と前記測定出力信号の差を判定することは、１以上の聴覚機器構成パラメータに基づいて実行される、請求項１から６のいずれか一項に記載の方法。
【請求項８】
前記予測出力応答と前記測定出力信号の差を判定することは、聴覚機器初期較正設定に基づいて実行される、請求項１から７のいずれか一項に記載の方法。
【請求項９】
前記予測出力応答と前記測定出力信号の差を判定することは、１以上のアルゴリズムパラメータに基づいて実行される、請求項１から８のいずれか一項に記載の方法。
【請求項１０】
前記予測出力応答と前記測定出力信号の差を判定することは、耳形状を推定することを含む、請求項１から９のいずれか一項に記載の方法。
【請求項１１】
前記耳形状を推定することは、１以上の外耳道パラメータを判定することを含む、請求項１０に記載の方法。
【請求項１２】
前記耳形状を推定することは、耳を分類することを含む、請求項１０または１１に記載の方法。
【請求項１３】
前記１以上の外耳道パラメータは、外耳道長さ、外耳道幅、外耳道の円錐特性、耳容積、挿入深さ、またはこれらの任意の組み合わせを含む、請求項１１に記載の方法。
【請求項１４】
前記１以上の外耳道パラメータを判定することは、裸耳ゲインの推定、ユーザ入力、音響測定、またはこれらの任意の組み合わせに基づいて実行される、請求項１１、請求項１１に従属する請求項１２、および請求項１３のいずれか一項に記載の方法。
【請求項１５】
前記出力応答を予測することは、前記聴覚機器初期較正設定に基づいて実行される、請求項８、および請求項８に従属する請求項９から１４のいずれか一項に記載の方法。
【請求項１６】
出力信号を提供するレシーバと、
入力信号を提供する外部マイクロフォンと、前記出力信号を測定する外耳道マイクロフォンと、を含むマイクロフォンセットと、
前記入力信号に基づいて処理済み出力信号を提供するプロセッサと、を有し、
ゲイン設定に基づいて出力応答を予測し、前記予測出力応答と前記測定出力信号の差を判定し、前記差に基づいてゲインパラメータを制御することで聴覚機器を較正するように構成されている、聴覚機器。
【発明の詳細な説明】
【技術分野】
【０００１】
本開示は、聴覚機器の自己較正方法および関連する聴覚機器に関する。
【背景技術】
【０００２】
通常、聴覚装置の較正は、何らかの平均的外耳道応答に基づいて行われる。しかし個人の耳は、平均的耳と大きく乖離している可能性がある。推奨される補聴器の較正方法として、実耳測定（real-ear measurement）に対するゲイン（gain）を検証し、必要に応じて調整することが一般的に行われている。実耳較正（real-ear calibration）は、外耳道にプローブ管を入れて行われる。しかし、この較正方法はコストや時間がかかるので、省略されることも多い。
【発明の概要】
【０００３】
したがって、実耳測定システムがなくても使用可能な、自己較正可能な聴覚機器および、聴覚機器の自己較正方法が求められている。
【０００４】
聴覚機器の自己較正方法が開示される。聴覚機器は、外耳道マイクロフォンと、外部マイクロフォンと、レシーバを有する。方法は、外部マイクロフォンにより入力信号を取得することと、レシーバにより出力信号を提供（送信または出力等）することと、外耳道マイクロフォンを使用して出力信号を測定することを含む。方法は、１以上のゲイン設定に基づいて出力応答を予測することと、予測出力応答と測定出力信号の差を判定することを含んでいてよい。方法は、当該差に基づいてゲインパラメータを制御することで、聴覚機器を較正することを含む。
【０００５】
さらに、出力信号を提供するレシーバと、入力信号を提供する外部マイクロフォンと出力信号を測定する外耳道マイクロフォンを含むマイクロフォンセットと、入力信号に基づいて処理済み出力信号を提供するプロセッサと有する聴覚機器が提供される。聴覚機器は、ゲイン設定に基づいて出力応答を予測し、予測出力応答と測定出力信号の差を判定し、差に基づいてゲインパラメータを制御することで聴覚機器を較正するように構成される。
【０００６】
さらに、入力信号を提供する外部マイクロフォンと出力信号を測定する外耳道マイクロフォンとを含むマイクロフォンセットと、入力信号を処理して、入力信号に基づいて処理済み出力信号を提供するプロセッサと、出力信号を送信するレシーバとを有する聴覚機器が提供される。聴覚機器は聴覚機器設定を制御するように構成されたコントローラを有してもよい。聴覚機器は、ゲイン設定に基づいて出力応答を予測し、予測出力応答と測定出力信号の差を判定し、その差に基づいてゲインパラメータを制御することで聴覚機器を較正するように構成される。
【０００７】
本開示の利点は、聴覚機器が装着された耳において自己較正することにより、ユーザと販売店の両方にとって有益となることを可能にすることである。本開示は、プローブ管測定を利用せずに、目標に近いゲインを実現し得る。
【０００８】
聴覚機器（外耳道マイクロフォンと、外部マイクロフォンと、レシーバを有する）の自己較正方法は、外部マイクロフォンにより入力信号を取得することと、レシーバにより出力信号を提供することと、外耳道マイクロフォンを使用して出力信号を測定することと、ゲイン設定に基づいて出力応答を予測することと、予測出力応答と測定出力信号の差を判定することと、当該差に基づいてゲインパラメータを制御することにより聴覚機器を較正することを含む。
【０００９】
任意で、入力信号を取得することは、入力信号の１以上の特徴を判定することを含む。
【００１０】
任意で、入力信号を取得することは、１以上の周波数帯において、入力信号の１以上の特徴を判定することを含む
【００１１】
任意で、出力信号を測定することは、出力信号の前進圧力レベルを判定することを含む。
【００１２】
任意で、ゲインパラメータを制御することは、１以上の周波数帯で、バンドゲインを調整することを含む。
【００１３】
任意で、ゲインパラメータを制御することは、予測出力応答と測定出力信号の差を低減または最小化し、ゲインを判定することを含む。
【００１４】
任意で、予測出力応答と測定出力信号の差を判定することは、１以上の聴覚機器構成パラメータに基づいて実行される。
【００１５】
任意で、予測出力応答と測定出力信号の差を判定することは、聴覚機器初期較正設定に基づいて実行される。
【００１６】
任意で、予測出力応答と測定出力信号の差を判定することは、１以上のアルゴリズムパラメータに基づいて実行される。
【００１７】
任意で、予測出力応答と測定出力信号の差を判定することは、耳形状を推定することを含む。
【００１８】
任意で、耳形状を推定することは、１以上の外耳道パラメータを判定することを含む。
【００１９】
任意で、耳形状を推定することは、耳を分類することを含む。
【００２０】
任意で、１以上の外耳道パラメータは、外耳道長さ、外耳道幅、外耳道の円錐特性（conicity）、耳容積、挿入深さ、またはこれらの任意の組み合わせを含む。
【００２１】
任意で、１以上の外耳道パラメータを判定することは、裸耳ゲインの推定、ユーザ入力、音響測定、またはこれらの任意の組み合わせに基づいて実行される。
【００２２】
任意で、出力応答を予測することは、聴覚機器初期較正設定に基づいて実行される。
【００２３】
任意で、レシーバは、聴覚機器の外耳道部内に配置される。
【００２４】
任意で、入力信号を取得することは、外部装置から測定信号を取得することを含む。
【００２５】
聴覚機器は、出力信号を提供するレシーバと、入力信号を提供する外部マイクロフォンと出力信号を測定する外耳道マイクロフォンを含むマイクロフォンセットと、入力信号に基づいて処理済み出力信号を提供するプロセッサを有する。聴覚機器は、ゲイン設定に基づいて出力応答を予測し、予測出力応答と測定出力信号の差を判定し、当該差に基づいてゲインパラメータを制御することで聴覚機器を較正するように構成される。
【図面の簡単な説明】
【００２６】
本発明の上述の特徴及び利点と、他の特徴及び利点は、添付の図面を参照しつつ、以下の例示的な実施形態の詳細な記載によって当業者には容易に明らかになるだろう。
【図１】本開示に係る例示的聴覚機器を示す概略図である。
【図２】聴覚機器のユーザの外耳道内に部分的に挿入された例示的聴覚機器を示す概略断面図である。
【図３】本開示に係る例示的方法を示すフローチャートである。
【発明を実施するための形態】
【００２７】
適宜図面を参照しながら、各種実施形態および詳細を以下に説明する。図面は必ずしも縮尺通りではなく、類似の構造または機能要素は図面全体にわたって同じ参照番号により表されるという点に留意すべきである。また、図面は実施形態の説明を容易にすることを意図するものに過ぎないことに留意すべきである。図面は、本発明の完全な説明としても、または本発明の範囲に対する制限としても意図されていない。加えて、図示した実施形態は、示されるすべての態様または利点を有する必要はない。特定の実施形態とともに記載される態様または利点は必ずしも、その実施形態に限定されず、示されていない、または明示的に説明されていなくても、任意の他の実施形態で実施可能である。
【００２８】
本発明者らは、挿入ゲイン（insertion-gain）および方向性キュー（directional cues）の個人差は、主に耳介によるもので、外耳道マイクロフォン（外耳道内に装着）であれば、実際そのような個人差は吸収できることを発見した。外耳道マイクロフォンでも吸収されない個人差は、外耳道の長さによる共鳴よるものであり、これは方向に依存せず、個人差としてはそう大きくはない。本開示は、このような個人的共鳴を良好に近似でき（具体的には、フィードバック経路に焦点を当てる）、それにより、挿入ゲイン推定を、大幅に改善し、より個人に合わせて実施可能とする。本開示の利点として、開示の聴覚機器では、追加の測定をすることなく（即ち、実耳測定を一切伴わず）フラットな挿入ゲインが得られる。
【００２９】
聴覚機器の自己較正方法が開示される。聴覚機器は、外耳道マイクロフォンと、外部マイクロフォンと、レシーバとを有する。方法は聴覚機器により実行される。方法は、聴覚機器による自己較正に関する。方法は、外部マイクロフォンにより入力信号を取得することを含む。
【００３０】
１以上の例示的方法において、外部マイクロフォンにより入力信号を取得することは、外部マイクロフォンによって入力信号を測定することを含む。例えば、外部マイクロフォンにより入力信号を取得することは、外部マイクロフォンによって入力信号を測定し、入力信号を分析することを含む。
【００３１】
方法は、レシーバにより出力信号を送信することと、外耳道マイクロフォンを使用して出力信号を測定することを含む。１以上の例示的方法において、聴覚機器は１以上の外耳道マイクロフォンを有していてよく、出力信号を測定することは、１以上の外耳道マイクロフォンを使用して実行されてよい。出力信号は、特定の測定信号および／または環境信号であってよい。測定出力信号は、外耳道マイクロフォンにより測定され、入力とされる出力信号に関連するため、測定出力信号は出力信号を示す外耳道マイクロフォン入力信号とも称され得る。測定出力信号は、外耳道特性の影響を受けた出力信号とみなしてもよい。本開示は、測定出力信号（あるいはそれを示す外耳道マイクロフォン入力信号）に基づく出力信号の変化を定量化することができる。これは、耳形状の推定につながり、さらに聴覚機器の自己較正につながる。
【００３２】
方法は、ゲイン設定に基づいて出力応答を予測し、予測出力応答と測定出力信号の差を判定することを含んでいてよい。１以上の例示的方法において、出力応答を予測することは、聴覚機器のゲイン設定、および／または聴覚機器の機器較正（工場または初期機器較正等）に基づいて実施してよい。当該機器較正は、耳のシミュレーター、および／または平均的耳に基づいて、設計／製造時に実施される。機器較正は、聴覚機器が挿入される際にフラットな挿入ゲインを実現するために、補聴器の出力に適用される修正である、フラットな挿入ゲインに対するカプラー応答（ＣＯＲＦＩＧ）を含んでもよい。標準的なＣＯＲＦＩＧは、平均的耳に基づいてもよく、したがって外耳道形状の個人差を考慮しない標準的な測定を表すものであってもよい。
【００３３】
１以上の例示的方法において、予測出力応答と測定出力信号の差を判定することは、予測出力振幅スペクトルと測定出力振幅スペクトルの差を判定することを含む。出力応答は、レシーバの出力信号を使用して予測してもよい。本開示の利点として、挿入ゲインを測定するための参照情報、即ち裸耳応答（Real Ear Unaided Response：ＲＥＵＲ）を把握していなくても出力応答が予測できる。外耳道または外部マイクロフォンとレシーバとが互いに非常に近接している場合、近接場効果が出力応答の予測に影響し得る。物理的耳形状の推定を可能とするため、近接場効果を考慮することを本開示の利点とみなすことができる。
【００３４】
１以上の例示的方法において、予測出力応答と測定出力信号の差を判定することは、外部マイクロフォンが受信する入力信号と、外耳道マイクロフォンが受信する測定出力信号（外耳道マイクロフォンに対する入力信号を形成）を比較することを含む。レシーバおよび外耳道マイクロフォンのそれぞれの応答がわかっていれば、開放された外耳道（open ear canal）の自然応答または耳を塞ぐことによる影響を考慮できる。さらに／あるいは、外耳道マイクロフォン応答がフラットで、レシーバ応答が開放された耳の応答に近似しているものと仮定できる。開示の方法では、測定トランスデューサ応答（レシーバから外耳道マイクロフォン）が裸耳応答（ＲＥＵＲ）を近似してもよい。
【００３５】
１以上の例示的方法において、差を判定することは、外部マイクロフォンと外耳道マイクロフォンとで信号を比較し、測定トランスデューサ応答（レシーバから外耳道マイクロフォン）を差し引くことで挿入ゲインを予測することを含んでもよい。
【００３６】
方法は、差に基づいてゲインパラメータを制御することで、聴覚機器を較正することを含む。ゲインパラメータは、聴覚機器が配置された状態で鼓膜近傍で測定された音圧レベルと、聴覚機器を装着していない状態で測定された音圧レベルとの差である、挿入ゲインであってもよい。
【００３７】
１以上の例示的方法において、入力信号を取得することは、入力信号の１以上の特徴を判定することを含む。例えば、特徴は振幅（例えば最大振幅）および／または位相のような歪みおよび／またはスペクトルを含んでもよい。
【００３８】
１以上の例示的方法において、入力信号を取得することは、１以上の周波数帯における１以上の特徴を判定することを含む。例えば、入力信号の１以上の特徴は、周波数帯ごとに独立して測定または判定される。
【００３９】
１以上の例示的方法において、出力信号を測定することは、測定出力信号の前進圧力レベルを判定することを含む。外耳道マイクロフォンにより測定される音圧は、前進圧力レベルと反射圧力レベルに分けられる。
【００４０】
１以上の例示的方法において、ゲインパラメータを制御することは、１以上の周波数帯で、バンドゲインを調整することを含む。
【００４１】
１以上の例示的方法において、ゲインパラメータを制御することは、予測出力応答と測定出力信号の差を最小化し、ゲインを判定することを含む。
【００４２】
１以上の例示的方法において、予測出力応答と測定出力の差を判定することは、１以上の聴覚機器構成パラメータに基づく。例えば、１以上の聴覚機器構成パラメータは、レシーバ配置、レシーバ応答、外部マイクロフォン配置、外部マイクロフォン応答、外耳道マイクロフォン配置、外耳道マイクロフォン応答、通気部（開口部）が存在するか、（存在する場合）開口部の配置、ドームおよび／または通気部のサイズ、ドームおよび／または通気部の配置、および／または想定機器挿入深さを含んでいてよい。
【００４３】
１以上の例示的方法において、予測出力応答と測定出力の差を判定することは、聴覚機器初期較正設定に基づく。
【００４４】
１以上の例示的方法において、予測出力応答と測定出力の差を判定することは、１以上のアルゴリズムパラメータに基づく。例えば、１以上のアルゴリズムパラメータは、スペクトル帯の相互作用、非線形性等のアルゴリズムの特徴を示してもよい。
【００４５】
１以上の例示的方法において、予測出力応答と測定出力信号の差を判定することは、耳形状を推定することを含む。耳形状は、耳の形、外耳道寸法、および／または耳または外耳道の空間的特性を示すものであってよい。１以上の例示的方法において、耳形状は、耳寸法および／または外耳道タイプを含んでいてよい。予測出力応答と測定出力信号の差を判定することは、予測出力応答と測定出力信号の誤差を計算することとみなしてもよい。１以上の例示的方法において、予測出力応答と測定出力信号の差を判定することは、１以上の鼓膜特性等、外耳道のその他パラメータを推定することを含んでいてよい。予測出力応答と測定出力信号の差を判定することは、聴覚機器構成を考慮して実施されてもよい。
【００４６】
１以上の例示的方法において、耳形状を推定することは、１以上の外耳道パラメータを判定することを含む。１以上の例示的方法において、１以上の外耳道パラメータは、外耳道長さ、外耳道幅、外耳道の円錐特性、耳容積、および／または外耳道マイクロフォン、および／またはレシーバの挿入深さのうちの１以上を含む。
【００４７】
１以上の例示的方法において、耳形状を推定することは、外耳道を分類する等、耳を分類することを含む。例えば、１以上の分類をあらかじめ設定していてもよい。複数分類を設定することで、耳形状をより正確に推定し得る。耳または外耳道は、外耳道パラメータに基づいて分類されてよい。耳または外耳道を分類することは、現在試験中の耳または外耳道を示す外耳道タイプを特定することを含んでいてもよい。耳または外耳道を分類することは、耳形状を推定することを含むとみなされてもよい。
【００４８】
１以上の例示的方法において、外耳道パラメータを判定することは、裸耳ゲインの推定、ユーザ入力、および／または音響測定に基づく。例えば、外耳道パラメータを判定することは、測定出力信号と予測出力応答の分析に基づいていてもよい。例えば、入力および出力信号（２つのマイクロフォンにより測定）を比較して外耳道パラメータを推定してもよい。予測出力応答と測定出力信号の差を判定することに関し、本発明者らは、長さによる共鳴は、外耳道マイクロフォンの出力応答のスペクトルノッチに直結することが多く、当該ノッチの周波数は、外耳道の残りの長さに応じて異なると判断した。このことにより、外耳道長さが判定できる。外耳道マイクロフォンの出力応答のノッチの周波数が識別されると、分類を使用して、当該周波数におけるノッチを引き起こすと推定される外耳道長さが判定される。この外耳道の適切な実耳挿入ゲイン（ＲＥＩＧ）修正は、外耳道マイクロフォンと鼓膜の位置の推定スペクトル差に基づいて判定されてよい。挿入ゲインを修正するため、方法は、推定された実耳挿入ゲインの逆数を適用することを含んでいてよい（目標ゲインは０ｄＢとする）。予測は完全ではないことが想定されるため、推定された実耳挿入ゲインの一部を控えめな修正として使用してもよい。
【００４９】
１以上の例示的方法において、出力応答を予測することは、聴覚機器初期較正設定に基づいて実行される。
【００５０】
１以上の例示的方法において、レシーバは、聴覚機器の外耳道部内に配置される。１以上の例示的方法において、聴覚機器は外耳道マイクロフォンと外耳道レシーバを有し、外耳道マイクロフォンと外耳道レシーバが聴覚機器の外耳道部内に配置される。これら例示的方法により、ユーザに対してフラットな実耳挿入ゲイン（ＲＥＩＧ）が実現され得る。１以上の例示的方法において、予測出力応答と測定出力信号の差を判定することは、レシーバから裸耳（ＲＥＵＲ）と、レシーバから外部マイクロフォン（Ｌ-ＭｉＥ、側方マイクロフォン）との伝達関数の差を測定することを含んでもよい。ＲＥＩＧと、レシーバ応答そのもの（ＲｅｃＴｏＥａｒ）と、Ｌ-ＭｉＥと、裸耳伝達関数（ＲＥＵＲ）との関係は以下のとおりに表される。
ＲＥＩＧ＝ＲＥＡＲ−ＲＥＵＲ
＝Ｌ-ＭｉＥ＋ＲｅｃＴｏＥａｒ−ＲＥＵＲ
＝Ｌ-ＭｉＥ−ＲＥＵＲ＋ＲｅｃＴｏＥａｒ
＝ＲｅｃＴｏＥａｒ−（ＲＥＵＲ−Ｌ-ＭｉＥ）
式中、ＲＥＡＲは、実耳装用応答（real-ear aided response）、即ちユーザの外耳道内に聴覚機器が挿入された場合の応答を表す。
【００５１】
レシーバ応答を、ＲＥＵＲ−ＭｉＥの応答に近似させることで、フラットな挿入ゲインが得られることがわかる。本開示により、機器を外耳道内に挿入するだけで、幅広いユーザに対してフラットな挿入ゲインと到来方向が実現される。したがって、追加部材が必要ない。
【００５２】
１以上の例示的聴覚機器において、入力信号を取得することは、外部装置から特定の測定信号を取得することを含む。
【００５３】
開示は、明確に要求された際に（例えば、聴覚機器を較正モードに設定する）、および／または機器が起動される度に、および／または継続的に実行されてもよい。
【００５４】
聴覚機器が開示される。聴覚機器は、補聴器であってもよく、プロセッサは、ユーザの聴力損失を補償するように構成される。
【００５５】
例えば、聴覚機器は耳かけ（ＢＴＥ）型、耳あな（ＩＴＥ）型、外耳道挿入（ＩＴＣ）型、外耳道挿入レシーバ（ＲＩＣ）型又は耳挿入レシーバ（ＲＩＴＥ）型の聴覚機器であってもよい。聴覚機器は、両耳用補聴器であってもよい。聴覚機器は、第１イヤーピースと第２イヤーピースとを有してもよく、第１イヤーピースおよび／または第２イヤーピースは本稿開示のイヤーピースであってもよい。
【００５６】
聴覚機器は、１以上の無線入力信号、例えば第１無線入力信号および／または第２無線入力信号を、アンテナ出力信号に変換するアンテナを備えていてよい。無線入力信号（複数可）は外部信号源（複数可）から発せられる。外部信号源は、スパウスマイクロフォン装置（複数可）、無線テレビ音声送信機、および／または無線送信機に対応付けられた分散型マイクロフォンアレイ等である。
【００５７】
聴覚機器は、アンテナに接続され、アンテナ出力信号を送受信機入力信号に変換する送受信機を備えてもよい。異なる複数の外部信号源からの複数の無線信号が無線送受信機において多重化されて送受信機入力信号となってもよいし、無線送受信機の別々の送受信機出力端末に対する別々の送受信機入力信号となってもよい。聴覚機器は、複数アンテナを有していてよいし、さらに／あるいはアンテナは１つまたは複数のアンテナモードで動作するように構成されていてもよい。送受信機入力信号は、第１外部信号源からの第１無線信号を表す第１送受信機入力信号を含んでいてよい。
【００５８】
聴覚機器は、マイクロフォンセットを有する。マイクロフォンセットは、１以上のマイクロフォンを含んでいてよい。マイクロフォンセットは、入力信号を提供する外部マイクロフォンと、レシーバが送信し外耳道マイクロフォンで受信する出力信号を測定する外耳道マイクロフォンを含む。即ち、外耳道マイクロフォンは、出力信号を外耳道マイクロフォン入力信号として測定するように構成される。
【００５９】
マイクロフォンセットは、１以上の外部マイクロフォンを含んでいてよい。マイクロフォンセットは、１以上の外耳道マイクロフォンを含んでいてもよい。マイクロフォンセットは、Ｎ個のマイクロフォン信号を提供するためのＮ個のマイクロフォンを含んでいてよく、Ｎは、１〜１０の範囲の整数である。１つ以上の例示的な聴覚機器において、マイクロフォンの数Ｎは、２、３、４、５又はそれ以上である。マイクロフォンセットは、第３マイクロフォン入力信号を提供するための第３マイクロフォンを含んでいてもよい。
【００６０】
１以上の例示的聴覚機器において、外耳道マイクロフォンは聴覚機器の内側に配置されていてよく（外耳道内に向けられて、鼓膜に対向）、外部マイクロフォンは聴覚機器の外側に配置されていてよい（環境音を収音）。本開示の利点として、外耳道内の応答の測定にプローブマイクではなく、これらマイクロフォンが使用される。
【００６１】
本明細書において、用語「外部マイクロフォン」は、聴覚機器ユーザの外部環境の環境音のような、環境中の音声を受信、検知、検出、または取得するあらゆるマイクロフォンを指す。したがって、用語「外部マイクロフォン」中の「外部」という言葉は、聴覚機器に対する外部マイクロフォンの位置を示すものではない。外部マイクロフォンが設けられるのは、聴覚機器の内部でも外部でもよい。
【００６２】
聴覚機器は、入力信号を処理して入力信号に基づく処理済み出力信号を提供するプロセッサを備えている。
【００６３】
聴覚機器は、出力信号を送信するレシーバと、聴覚機器設定を制御するように構成されたコントローラを有する。聴覚機器は、ゲイン設定に基づいて出力応答を予測するように構成される。聴覚機器は、予測出力応答と測定出力信号の差を判定し、その差に基づいてゲインパラメータを制御することで、聴覚機器を較正するように構成される。
【００６４】
１以上の例示的聴覚機器において、聴覚機器は、プロセッサとコントローラを含む処理部を有する。
【００６５】
本開示は、外耳道部（即ち、聴覚機器の、耳の外耳道に挿入される部分）と外耳道レシーバと外耳道マイクロフォンを有し、それらが外耳道内に配置されてフラットな挿入ゲインを実現すように構成される聴覚機器に関する。
【００６６】
本開示は、耳内マイクロフォン・レシーバ・モジュールを備え、耳内マイクロフォン・レシーバ・モジュールが外耳道レシーバと外耳道マイクロフォンを有する聴覚機器レシーバに関する。
【００６７】
図面は、模式図であり、明確性のために簡略化されており、実施形態を理解しやすくするように詳細を示す。全体的に、同一の部分または対応する部分には、同じ参照番号が使用される。
【００６８】
図１は、本開示に係る例示的聴覚機器を示すブロック図である。聴覚機器２は、出力信号１５を送信するレシーバ１６を有する。レシーバ１６は、出力信号１５に基づいて、音響出力信号１１を発信するように構成されてよい。
【００６９】
レシーバ１６は、音響出力信号１１を例えば聴覚機器ユーザの鼓膜に向けて発信するように構成される。
【００７０】
聴覚機器２は、第１外部信号源（図１で不図示）の第１無線入力信号５を、アンテナ出力信号に変換するアンテナ４を有していてよい。聴覚機器２は、送受信機入力信号３を提供する送受信機７を有してもよく、送受信機７はアンテナ出力信号を１以上の送受信機入力信号に変換するため、アンテナ４に接続された無線送受信機を含んでいてよい。
【００７１】
聴覚機器２はマイクロフォンセットを備えている。マイクロフォンセットは、入力信号９（即ち、外部マイクロフォン入力信号）を取得する外部マイクロフォン８を含む。外部マイクロフォン８は、音響入力信号１８に基づいて入力信号９を取得し、外部入力信号９を聴覚機器２の他モジュールに提供するように構成されていてよい。
【００７２】
マイクロフォンセットは、レシーバ１６から音響出力信号１１Ａを受信し、当該受信した音響出力信号１１Ａを入力信号とする外耳道マイクロフォン１０を含む。外耳道マイクロフォン１０は、レシーバ１６から受信した音響出力信号１１Ａに基づいて、出力信号１１Ｂを測定するように構成される。なぜなら、外耳道マイクロフォン１０は、外耳道特性により変化した音響出力信号１１Ａに基づく出力信号１１Ｂに基づいて外耳道マイクロフォン入力信号１１Ｂを提供するためである。外耳道マイクロフォン１０で入力として受信される音響出力信号１１Ａは、外耳道特性の影響を受ける。本開示で測定される出力信号１１Ｂ（即ち、外耳道マイクロフォン入力信号１１Ｂ）は、外耳道マイクロフォンが受信する音響出力信号１１Ａ、レシーバ１６が発する音響出力信号１１、レシーバ１６に提供される出力信号１５に関する。
【００７３】
聴覚機器２は、聴覚機器設定を制御するように構成されたコントローラ１２を有する。聴覚機器２は、コントローラ１２に接続されて、信号を受信、処理するプロセッサ１４を有する。プロセッサ１４は、ユーザの聴力損失を補い、入力信号に基づいて電気的出力信号１５を提供するように構成される。聴覚機器２またはプロセッサ１４は、ゲイン設定に基づいて、出力応答を予測するように構成される。聴覚機器２またはプロセッサ１４は、予測出力応答と測定出力信号の差を判定するように構成される。
【００７４】
１以上の例示的聴覚機器において、聴覚機器２は、プロセッサ１４とコントローラ１２を有する処理部１３を有する。処理部１３は、聴力損失を補うため、聴覚機器パラメータを制御するように構成される。
【００７５】
聴覚機器２は、外耳道部と、耳の開口部に向かう他の部位を有していてよい。１以上の例示的聴覚機器では、外耳道マイクロフォン１０は、聴覚機器２の外耳道部内（即ち、鼓膜に対向する部位）に配置される。外部マイクロフォン８は、聴覚機器２の耳の開口部に対向する部位に配置される（環境音を収音する）。
【００７６】
１以上の例示的聴覚機器において、処理部１３は、聴覚機器のゲイン設定に基づいて出力応答を予測し、予測出力応答と測定出力信号の差を判定するように構成される。
【００７７】
１以上の例示的聴覚機器において、予測出力応答と測定出力信号の差を判定することは、外部マイクロフォンで受信した入力信号と、外耳道マイクロフォンが外耳道マイクロフォン入力信号として測定した出力信号を比較することを含む。聴覚機器２は、外耳道長さ等の耳パラメータを推定することで、予測出力応答と測定出力信号の差を判定するように構成されていてよい。長さによる共鳴は、外耳道マイクロフォン８の出力応答のスペクトルノッチに直結することが多く、当該ノッチの周波数は、外耳道の残りの長さに応じて異なる。そのため、聴覚機器２は、ノッチの周波数の識別と、周波数の分類に基づいて、外耳道長さを判定する。外耳道マイクロフォンの出力応答のノッチの周波数が識別されると、分類を使用して、当該周波数におけるノッチを引き起こすと推定される外耳道長さが判定される。聴覚機器２は、外耳道マイクロフォンと鼓膜のそれぞれの位置の間での推定スペクトル差に基づいて、外耳道の実耳挿入ゲイン（ＲＥＩＧ）の適切な修正を判定してもよい。
【００７８】
聴覚機器２は、差に基づいてゲインパラメータを制御することで聴覚機器を較正するように構成される。挿入ゲインを修正するため、聴覚機器は、推定された実耳挿入ゲインの半数を適用する等、推定された実耳挿入ゲインの逆数を適用してもよい。
【００７９】
図２は、耳の外耳道２０に部分的に挿入された本開示に係る聴覚機器２のような例示的聴覚機器２Ａを含む、ユーザの耳の断面図である。聴覚機器２Ａは、耳あな聴覚機器である。聴覚機器２Ａは、ハウジング６と、レシーバ１６Ａと、入力信号を取得する外部マイクロフォン８Ａと、外耳道マイクロフォン１０Ａを有する。レシーバ１６Ａは、聴覚機器２Ａの外耳道部内に配置されるため、外耳道レシーバ１６Ａと称する。聴覚機器２Ａは、鼓膜２２に対向配置される外耳道マイクロフォン１０Ａと外耳道レシーバ１６Ａを有する。聴覚機器２Ａは、ユーザの聴力損失を補うように構成されるプロセッサ１４Ａを有する。レシーバ１６Ａは、聴覚機器ユーザの鼓膜に向けて出力信号を送信するように構成される。外耳道マイクロフォン１０Ａは、外耳道マイクロフォン入力信号としてレシーバ１６Ａからの出力信号を受信するため、レシーバ１６Ａが発信する出力信号を測定するように構成される。外耳道マイクロフォン１０Ａが入力として受信する出力信号は、外耳道特性に影響される。プロセッサ１４Ａは、ゲイン設定に基づいて出力応答を予測するように構成される。プロセッサ１４Ａは、予測出力応答と測定出力信号の差を判定するように構成される。１以上の例示的聴覚機器において、予測出力応答と測定出力信号の差を判定することは、外部マイクロフォンが受信する入力信号と外耳道マイクロフォンが受信する出力信号（外耳道マイクロフォンに対する入力信号を形成）を比較することを含む。
【００８０】
図３は、いくつかの実施形態に係る例示的な聴覚機器の自己較正方法を示すフローチャートである。聴覚機器は、外耳道マイクロフォンと、外部マイクロフォンと、レシーバを有する。方法は、外部マイクロフォンにより入力信号を取得すること１０２を含む。
【００８１】
１以上の方法において、外部マイクロフォンにより入力信号を取得すること１０２は、外部マイクロフォンにより入力信号を測定すること１０２ａ、例えば外部マイクロフォンを使用して入力信号を分析することを含む。
【００８２】
方法１００は、レシーバにより出力信号を送信すること１０４と、外耳道マイクロフォンを使用して出力信号を測定すること１０５を含む。１以上の例示的方法において、出力信号は、特定の測定信号および／または環境信号であってよい。
【００８３】
方法１００は、ゲイン設定、および／または任意で聴覚機器の機器較正（工場または初期機器較正等）に基づいて出力応答を予測すること１０６を含む。方法１００は、予測出力応答と測定出力信号の差を判定すること１０８を含む。
【００８４】
１以上の例示的方法において、予測出力応答と測定出力信号の差を判定すること１０８は、予測出力振幅スペクトルと測定出力振幅スペクトルの差を判定することを含む。出力応答を予測すること１０６は、レシーバが送信する出力信号を使用して実行されてよい。
【００８５】
１以上の例示的方法において、予測出力応答と測定出力信号の差を判定すること１０８は、外部マイクロフォンが受信した入力信号と、外耳道マイクロフォンが外耳道マイクロフォン入力信号として受信した出力信号を比較することを含む。レシーバおよび外耳道マイクロフォンのそれぞれの応答がわかっていれば、開放された外耳道の自然応答または耳を塞ぐことによる影響を考慮できる。さらに／あるいは、外耳道マイクロフォン応答がフラットで、レシーバ応答が開放された耳の応答に近似しているものと仮定できる。開示の方法では、測定トランスデューサ応答（レシーバから外耳道マイクロフォン）が裸耳応答（ＲＥＵＲ）に近似する。
【００８６】
１以上の例示的方法において、差を判定すること１０８は、外部マイクロフォンと外耳道マイクロフォンの信号を比較し、測定トランスデューサ応答（レシーバから外耳道マイクロフォン）を差し引くことで挿入ゲインを判定することを含んでいてよい。
【００８７】
方法は、差に基づいてゲインパラメータを制御することで、聴覚機器を較正すること１１０を含む。例えば、ゲインパラメータを制御することは、１以上の周波数帯のバンドゲインを調整することを含む。１以上の例示的方法において、ゲインパラメータを制御することは、予測出力応答と測定出力信号の差を最小化して、ゲインを判定することを含む。
【００８８】
１以上の例示的方法において、入力信号を取得すること１０２は、例えば１以上の周波数帯内等において、入力信号の１以上の特徴を判定すること１０２ｂを含む。例えば、特徴は振幅（例えば最大振幅）および／または位相のような歪みおよび／またはスペクトルを含んでいてよい。
【００８９】
１以上の例示的方法において、出力信号を測定すること１０５は、測定出力信号の前進圧力レベルを判定することを含む。外耳道マイクロフォンにより測定される音圧は、前進圧力レベルと反射圧力レベルに分けられる。本開示は、測定出力信号の前進圧力レベルを判定することに関する。
【００９０】
１以上の例示的方法において、予測出力応答と測定出力の差を判定すること１０８は、１以上の聴覚機器構成パラメータに基づく。
【００９１】
１以上の例示的方法において、予測出力応答と測定出力の差を判定すること１０８は、聴覚機器初期較正設定に基づく。
【００９２】
１以上の例示的方法において、予測出力応答と測定出力の差を判定すること１０８は、１以上のアルゴリズムパラメータに基づいていてよい。例えば、１以上のアルゴリズムパラメータは、スペクトル帯の相互作用、非線形性等のアルゴリズムの特徴を示してよい。
【００９３】
１以上の例示的方法において、予測出力応答と測定出力信号の差を判定すること１０８は、耳形状を推定すること１０８ａを含む。例えば、予測出力応答と測定出力信号の差を判定すること１０８は、１以上の鼓膜特性等、外耳道のその他パラメータを推定することを含んでいてよい。予測出力応答と測定出力信号の差を判定することは、外耳道情報（例えば、外耳道形状についてのユーザから提供される情報（例えば、大小、男女、頭囲等））および／または聴覚機器構成を考慮して実施されてよい。本開示においては、外耳道寸法を予測することは、音響測定に基づいて実施されてよい。
【００９４】
１以上の例示的方法において、耳形状を推定すること１０８ａは、外耳道パラメータを判定すること１０８ｂを含む。外耳道パラメータは、外耳道サイズ、および／または外耳道長さを含んでいてよい。
【００９５】
１以上の例示的方法において、耳形状を推定すること１０８ａは、耳を分類すること１０８ｃを含む。例えば、１以上の分類をあらかじめ設定してもよい。複数分類を設定することで、耳形状をより正確に推定し得る。耳を分類することは、外耳道パラメータに基づいて行われてよい。耳を分類することは、耳形状を推定することを含むとみなされてもよい。
【００９６】
１以上の例示的方法において、外耳道パラメータを判定すること１０８ｂは、裸耳ゲインの推定、ユーザ入力、および／または音響測定に基づく。予測出力応答と測定出力信号の差を判定することに関して、本発明者らは、長さによる共鳴は、外耳道マイクロフォンの出力応答のスペクトラルノッチに直結することが多く、当該ノッチの周波数は、外耳道の残りの長さに応じて異なると判断した。このことにより、外耳道長さが判定できる。外耳道マイクロフォンの出力応答のノッチの周波数が識別されると、分類を使用して、当該周波数におけるノッチを引き起こすと推定される外耳道長さが判定される。この外耳道に対する適切な実耳挿入ゲイン（ＲＥＩＧ）修正は、外耳道マイクロフォンと鼓膜の位置の推定スペクトル差に基づいて判定されてよい。挿入ゲインを修正するため、方法は推定された実耳挿入ゲインの逆数を適用することを含んでいてよい（目標ゲインは０ｄＢとする）。予測は完全ではないことが想定されるため、推定された実耳挿入ゲインの一部を控えめな修正として使用してもよい。目標ゲインがフラット（全周波数に対して０ｄＢ）でない場合、予測ゲインを修正係数として使用する前に、予測ゲインから目標ゲインを差し引いてもよい。
【００９７】
１以上の例示的方法において、出力応答を予測すること１０６は、聴覚機器初期較正設定に基づく。
【００９８】
１以上の例示的方法において、入力信号を取得すること１０２は、外部装置から特定の測定信号を取得することを含む。
【００９９】
本明細書で使用される「第１」、「第２」、「第３」、「第４」等の用語は、具体的な順序を示すものではなく、各要素の特定に使用されている。さらに、本明細書で使用される第１、第２等の用語は、何らかの順序や重要性を示すものではない。本明細書で使用される第１、第２等の用語は、要素同士の区別に用いられている。本明細書および他の書類で使用される第１、第２という用語は、あくまで参照符号として付されるものであって、特定の空間的、時間的順序を示すものではない。さらに、第１要素、第２要素と称されたということで、必ずしも他方の存在が示唆されているとは限らない。
【０１００】
上記した特徴のうちの１以上は、下記項目のいずれかに従って、組み込みまたは実行されてよい。
（項目１）
外耳道マイクロフォンと、外部マイクロフォンと、レシーバとを有する聴覚機器の自己較正方法であって、前記外部マイクロフォンにより入力信号を取得することと、前記レシーバにより出力信号を提供することと、前記外耳道マイクロフォンを使用して前記出力信号を測定することと、ゲイン設定に基づいて出力応答を予測することと、前記予測出力応答と前記測定出力信号の差を判定することと、前記差に基づいてゲインパラメータを制御することで前記聴覚機器を較正することとを含む方法。
（項目２）
前記入力信号を取得することは、前記入力信号の１以上の特徴を判定することを含む、項目１に記載の方法。
（項目３）
前記入力信号を取得することは、１以上の周波数帯において、前記入力信号の１以上の特徴を判定することを含む、項目１または２に記載の方法。
（項目４）
前記出力信号を測定することは、前記出力信号の前進圧力レベルを判定することを含む、項目１から３のいずれか一項に記載の方法。
（項目５）
前記ゲインパラメータを制御することは、１以上の周波数帯でバンドゲインを調整することを含む、項目１から４のいずれか一項に記載の方法。
（項目６）
前記ゲインパラメータを制御することは、前記予測出力応答と前記測定出力信号の差を低減または最小化することによってゲインを判定することを含む、項目１から５のいずれか一項に記載の方法。
（項目７）
前記予測出力応答と前記測定出力信号の差を判定することは、１以上の聴覚機器構成パラメータに基づいて実行される、項目１から６のいずれか一項に記載の方法。
（項目８）
前記予測出力応答と前記測定出力信号の差を判定することは、聴覚機器初期較正設定に基づいて実行される、項目１から７のいずれか一項に記載の方法。
（項目９）
前記予測出力応答と前記測定出力信号の差を判定することは、１以上のアルゴリズムパラメータに基づいて実行される、項目１から８のいずれか一項に記載の方法。
（項目１０）
前記予測出力応答と前記測定出力信号の差を判定することは、耳形状を推定することを含む、項目１から９のいずれか一項に記載の方法。
（項目１１）
前記耳形状を推定することは、１以上の外耳道パラメータを判定することを含む、項目１０に記載の方法。
（項目１２）
前記耳形状を推定することは、耳を分類することを含む、項目１０または１１に記載の方法。
（項目１３）
前記１以上の外耳道パラメータは、外耳道長さ、外耳道幅、外耳道の円錐特性、耳容積、挿入深さ、またはこれらの任意の組み合わせを含む、項目１０から１２に記載の方法。
（項目１４）
外耳道パラメータを判定することは、裸耳ゲインの推定、ユーザ入力、音響測定、またはこれらの任意の組み合わせに基づく、項目１０から１３のいずれか一項に記載の方法。
（項目１５）
前記出力応答を予測することは、前記聴覚機器初期較正設定に基づく、項目８に記載の方法。
（項目１６）
レシーバは、聴覚機器の外耳道内に配置される、項目１から１５に記載の方法。
（項目１７）
入力信号を取得することは、外部機器からの測定信号を取得することを含む、項目１から１６に記載の方法。
（項目１８）
出力信号を提供するレシーバと、
入力信号を提供する外部マイクロフォンと、前記出力信号を測定する外耳道マイクロフォンと、を含むマイクロフォンセットと、
前記入力信号に基づいて処理済み出力信号を提供するプロセッサと、を有し、
ゲイン設定に基づいて出力応答を予測し、前記予測出力応答と前記測定出力信号の差を判定し、前記差に基づいてゲインパラメータを制御することで聴覚機器を較正するように構成されている、聴覚機器。
【０１０１】
特徴を示し、記載してきたが、これらの特徴は、特許請求の範囲に記載された発明を限定することを意図していないことが理解され、特許請求の範囲に記載された発明の精神及び範囲から逸脱することなく種々の変更及び改変が行われてよいことが当業者に明らかになるだろう。従って、明細書及び図面は、限定するという観点ではなく、実例であると考えるべきである。特許請求の範囲に記載された発明は、全ての代替例、改変及び均等物を包含することを意図している。
【符号の説明】
【０１０２】
２：聴覚機器
２Ａ：聴覚機器断面視
３：送受信機入力信号
４：アンテナ
５：第１無線入力信号
６：ハウジング
７：無線送受信機
８：外部マイクロフォン
８Ａ：外部マイクロフォン
９：外部マイクロフォンからの入力信号
１０：外耳道マイクロフォン
１０Ａ：外耳道マイクロフォン
１１：レシーバが発する音響出力信号
１１Ａ：外耳道マイクロフォンが受信する音響出力信号
１１Ｂ：外耳道マイクロフォンから、プロセッサへの入力として提供された出力信号、即ち、測定出力信号または外耳道マイクロフォン入力信号
１２：コントローラ
１３：処理部
１４：プロセッサ
１４Ａ：プロセッサ
１５：プロセッサからレシーバへの出力信号
１６：レシーバ
１６Ａ：外耳道レシーバ
１８：外部マイクロフォンが取得する音響入力信号
２０：外耳道
２２：鼓膜
１００：聴覚機器の自己較正方法
１０２：外部マイクロフォンにより入力信号を取得
１０２ａ：外部マイクロフォンを使用して入力信号を測定
１０２ｂ：入力信号の１以上の特徴を判定
１０４：レシーバにより出力信号を送信
１０５：外耳道マイクロフォンを使用して出力信号を測定
１０６：ゲイン設定に基づいて出力応答を予測
１０８：予測出力応答と測定出力信号の差を判定
１０８ａ：耳形状を推定
１０８ｂ：外耳道パラメータを判定
１０８ｃ：耳を分類
１１０：差に基づいてゲインパラメータを制御することで聴覚機器を較正
【図１】
2019075777.tif 000003
【図２】
2019075777.tif 000004
【図３】
2019075777.tif 000005
【外国語明細書】
2019075777000001.pdf
2019075777000002.pdf
2019075777000003.pdf
2019075777000004.pdf